(57)【要約】【課題】    布製幟主体に取付ける止め輪をプラスチックの成形品により形成した幟又は旗の止め具を提供すること。 【解決手段】    展開した状態で端部に下部挟着体２００と上部挟着体２１０からなる布地挟着部２と中間部に止め輪部材３を設ける。上部挟着体２１０は基部固定体２１４と開閉挟着体２１５が薄肉ヒンジ部２１３を介して設けられている。基部固定体２１４と下部挟着体に挟着体固定手段４を設け、開閉挟着体２１５と下部挟着体に幟主体挟着手段５を設ける。各部材はプラスチックの成形品により形成し、止め輪部材３は布地挟着部よりも薄肉に形成して可撓性を有するものとする。幟の布製幟主体端部を下部及び上部挟着体２００，２１０によって挟着して止め輪部材３によりリング体を形成する。【選択図】    図１
2005173359.tif 000002
【特許請求の範囲】
【請求項１】
展開した状態で端部に下部挟着体（２００）と上部挟着体（２１０）からなる布地挟着部（２，２０）と中間部に止め輪部材（３，３０）を設け、上記上部挟着体は基部固定体（２１４）と開閉挟着体（２１５）が薄肉ヒンジ部（２１３）を介して設けられ、上記基部固定体と上記下部挟着体に挟着体固定手段（４）を設け、上記開閉挟着体と上記下部挟着体に幟主体挟着手段（５）を設け、上記各部材はプラスチックの成形品により形成し、上記止め輪部材は上記布地挟着部よりも薄肉に形成して可撓性を有するものとし、幟の布製幟主体端部を上記下部及び上部挟着体によって挟着して上記止め輪部材によりリング体を形成することを特徴とする幟又は旗の止め具。
【請求項２】
挟着体固定手段（４）は、下部挟着体（２００）から突出して角状に形成され側面視で外側に張出した第１の係止爪を有する係止片（２０１）と、上部挟着体（２１０）に形成され断面形状が鍵形となる第１の係合段部を有する係止孔（２１１）とからなり、該挟着体固定手段が薄肉ヒンジ部（２１３）と止め輪部材（３，３０）との間に設けられていることを特徴とする請求項１に記載の幟又は旗の止め具。
【請求項３】
幟主体挟着手段（５）は、下部挟着体（２００）から突出して筒状に形成され側面視で外側に張出した第２の係止爪を有する係合筒体（２０３）と、上部挟着体（２１０）に形成され断面形状が鍵形となる第２の係合段部を有する係合孔（２１６）とからなり、該幟主体挟着手段が下部及び上部挟着体の自由端に設けられたことを特徴とする請求項１又は２に記載の幟又は旗の止め具。
【請求項４】
幟主体挟着手段（５）は、下部挟着体の係合筒体（２０３）と上部挟着体の係合孔（２１６）に結合した時、上記係合筒体に栓体（３００）を装着したことを特徴とする請求項３に記載の幟又は旗の止め具。
【請求項５】
止め輪部材（３０）は、一方が爪付きの結合片であり他方が切込みを有する結合孔である止め輪結合手段（７）を設けたものであって、該止め輪結合手段を結合することによって上記止め輪部材による止め輪の径を小径にすることを特徴とする請求項１から４のいずれかに記載の幟又は旗の止め具。
【発明の詳細な説明】
【技術分野】
【０００１】
本発明は、幟又は旗を支柱及び横棒に装着するための止め具に関するものである。
【背景技術】
【０００２】
近年において、幟は宣伝・広告手段として利用されており、各種商店で使用される他、自動車の中古車センター、住宅展示場等では数多くが使用されており、根強い人気を有している。
【０００３】
幟は、布製幟主体を縦長に使用し、長手方向の側端縁と長手方向に直交する方向の上端縁にリング状の止め輪を設け、各止め輪のうち、側端縁と上端縁に別個の旗竿を通して布製幟主体が常に張られた状態に保持している。
【０００４】
布製幟主体の端縁に設ける止め輪は、標準的な大きさの幟で、側端縁部分に５個、上端縁部分に３個を取り付けるものが一般的であり、１つの幟に最低でも８個の止め輪を取付けている。布製幟主体の図柄は、宣伝・広告目的によって異なるが、製造自体は印刷作業なので量産が可能である。しかし、止め輪の取付け作業は、手作業なので製造が容易でなく生産量も限られたものとなっている。
【０００５】
従来から、布製幟主体に設ける止め輪を縫着したものではなく、他の手段に変更することが試みられている。
【０００６】
【特許文献１】特開２００１−５４１８号公開特許公報
【特許文献２】特開２００２−２７８４８９号公開特許公報
【特許文献３】特開２００２−１６２９１９号公開特許公報
【０００７】
特許文献１に記載の発明は、幟本体部１の長手方向７の一辺および幟本体１の幅方向８の上辺に、旗竿通し穴部２ａ，２ｂを溶断加工によって配設したものであり、長手方向に設けた旗竿通し穴部２ａに縦竿３を挿入し、幅方向に設けた旗竿通し穴部２ｂに横竿４を挿入したものである。この発明は、幟本体からリング状の止め輪（チチ輪）を除去したものであるから、製造は容易になっているが、幟の体裁が失われてしまい魅力に欠けてしまうと言う問題がある。
【０００８】
特許文献２に記載の発明は、のぼり旗１５の側端と上端にフック材１７５，１７３を設けたものであって、フック材１７５を縦竿となる伸縮アーム３に挿通し、フック材１７３を横竿となる回転アーム１３に挿通したものである。フック材１７５，１７３は、伸縮アーム３と回転アーム１３に挿通するリング本体にのぼり旗１５を掛止するための鉤部を有している（図１０，１２）。この発明は、のぼり旗に止め輪を縫着していないから製造は容易であろうが、フック材の鉤部を掛止する小穴を必要としているので、小穴をかがるか又はハトメ加工をするなどの作業を強いられ必ずしも製造効率がよいとは言えないものである。
【０００９】
特許文献３に記載の発明は、幟本体からリング状の止め輪を除去することを目的としたものではないが、昇り旗（幟のこと）が縦棒に巻き付いたり絡まったりするのを防止するものであり、柔軟性のあるバンド状のハタクリップ１に、フック凸４と、フック凹５を複数個設けたものである。ハタクリップ１を使用するときは、ハタクリップ１を折り曲げて縦棒２に通すと共に昇り旗３を挟んでフック凸４並びにフック凹５を結合する。この発明は、ハタクリップ１の先端を広げておき、昇り旗がなびく時に、昇り旗と同調してハタクリップ１が縦棒２を中心に回動して昇り旗の折れ曲がりや絡みを防止するものである。この発明では、ハタクリップは１個であり、他の部分は通常の止め輪を設けているが、このハタクリップを止め輪の代わりに取付けた場合は、縫製作業が省略できる。しかし、ハタクリップは昇り旗の側端及び上端縁に複数個を取付ける必要があるにも係わらず、フック凸４並びにフック凹５は、位置決め手段が考慮されていないので、ハタクリップを体裁よく取付けることができないことの問題がある。
【発明の開示】
【発明が解決しようとする課題】
【００１０】
本発明は、布製幟主体に取付ける止め輪をプラスチックの成形品により形成することにより、布製幟主体に縫着することなく、所謂ワンタッチで取付けができる幟又は旗の止め具を提供することを課題としている。
【課題を解決するための手段】
【００１１】
解決手段は、展開した状態で端部に下部挟着体と上部挟着体からなる布地挟着部と中間部に止め輪部材を設け、上記上部挟着体は基部固定体と開閉挟着体が薄肉ヒンジ部を介して設けられ、上記基部固定体と上記下部挟着体に挟着体固定手段を設け、上記開閉挟着体と上記下部挟着体に幟主体挟着手段を設け、上記各部材はプラスチックの成形品により形成し、上記止め輪部材は上記布地挟着部よりも薄肉に形成して可撓性を有するものとし、幟の布製幟主体端部を上記下部及び上部挟着体によって挟着して上記止め輪部材によりリング体を形成することを特徴とする幟又は旗の止め具。
挟着体固定手段は、下部挟着体から突出して角状に形成され側面視で外側に張出した第１の係止爪を有する係止片と、上部挟着体に形成され断面形状が鍵形となる第１の係合段部を有する係止孔とからなり、該挟着体固定手段が薄肉ヒンジ部と止め輪部材との間に設けられていることを特徴とする。
幟主体挟着手段は、下部挟着体から突出して筒状に形成され側面視で外側に張出した第２の係止爪を有する係合筒体と、上部挟着体に形成され断面形状が鍵形となる第２の係合段部を有する係合孔とからなり、該幟主体挟着手段が下部及び上部挟着体の自由端に設けられたことを特徴とする。
幟主体挟着手段は、下部挟着体の係合筒体と上部挟着体の係合孔に結合した時、上記係合筒体に栓体を装着したことを特徴とする。
止め輪部材は、一方が爪付きの結合片であり他方が切込みを有する結合孔である止め輪結合手段を設けたものであって、該止め輪結合手段を結合することによって上記止め輪部材による止め輪の径を小径にすることを特徴とする。
【発明の効果】
【００１２】
本発明は、布製幟主体に幟を支柱又は横棒に取付けるための止め輪をプラスチックの成形品により形成したものであるから、止め輪の取付けが所謂ワンタッチで行えるものであり、従来に比べ生産能率が格段に向上するものである。
【発明を実施するための最良の形態】
【００１３】
図１から図６に示す実施形態が第１実施例である。止め具１は、布地挟着部２と止め輪部材３が帯状に一体形成されたものであり、展開した状態で止め輪部材３の両端に布地挟着部２となる下部挟着体２００と上部挟着体２１０が設けられている。止め具１は、上部挟着体２００と下部挟着体２１０を結合することによって止め輪部材３によりリング体を形成するものである。なお、下部挟着体２００と上部挟着体２１０は、自由端が展開した状態で平面視半円形状を呈している。止め具１は、プラスチックの成形品であり、また、止め輪部材３は布地挟着部２よりも薄く形成して可撓性を有するものとしている。
【００１４】
実施形態において、布地挟着部２は下部挟着体２００と上部挟着体２１０によって形成されているが、下部及び上部と称しているのは説明の都合であって、部材が上方ないしは下方に存在することではない。
【００１５】
下部挟着体２００と上部挟着体２１０には、止め輪部材３の近傍に両者を結合する挟着体固定手段４が設けられている。挟着体固定手段４は、一方が爪付きの係止片で、他方が係止片を挿入する孔である。下部挟着体２００には、止め輪部材３に隣接する境界部近傍にかつ上部挟着体２１０と接合させる面に、長手方向に直交する方向の２本の係止片２０１を設けている。係止片２０１は下部挟着体２００から突出させた角状の係合部材であって、自由端は側面視で外側に張出した第１の係合爪２０２を形成している。また、上部挟着体２１０には、係止片２０１と対応する位置に止め具１の長手方向に対し直交する方向の係止孔２１１を設けている。係止孔２１１の挿入側の開口部は２本の係止片２０１の取付け幅と同じ大きさを有しており、表面開口部は２つの第１の係合爪２０２の取付け幅と同じ大きさを有している。係止孔２１１の断面形状は、係止片２０１の挿入口から鍵形となる第１の係合段部２１２が孔の両端に形成されている。
【００１６】
係止孔２１１の挿入側開口は、第１の係合爪２０２を含む係止片２０１の幅より小さいが、係止片２０１を強い力で挿入すれば、素材の弾性力によって変形し係止孔２１１の挿入側開口から挿入される。係止片２０１が係止孔２１１に挿入されると該係止片２０１は元の形状に戻り、第１の係合爪２０２が第１の係合段部２１２に係合し、両者は通常の力では離脱しない程度に強固に結合される。
【００１７】
実施形態において、係止片２０１を係止孔２１１に結合すると係合爪２０２が第１の係合段部２１２に載置された状態となるが、係止片２０１は、係止孔２１１に結合した時に頂部が上部挟着体２１０から突出しない高さに形成されていることが望ましい。
【００１８】
上部挟着体２１０には、係止孔２１１に隣接して薄肉ヒンジ部２１３が形成され、上部挟着体２１０を基部固定体２１４と開閉挟着体２１５に形成している。薄肉ヒンジ部２１３は、下部挟着体２００の係止片２０１を上部挟着体２１０の係止孔２１１に結合した時に、開閉挟着体２１５が下部挟着体２００に対して開口できるようにしたものである。また、後に詳しく説明するが、係止片２０１と係止孔２１１を結合すると基部固定体２１４が下部挟着体２００に結合されるので、基部固定体２１４は、開口している下部挟着体２００と上部挟着体２１０の間に布製幟主体を挿入するときの差込位置の限界を定める基準となるものである。
【００１９】
下部挟着体２００と上部挟着体２１０の自由端には、布製幟主体を挟着する幟主体挟着手段５が設けられている。幟主体挟着手段５は、一方が爪付きの係合筒体であり、他方が係合筒体を挿入する孔である。下部挟着体２００の自由端には、上部挟着体２１０との接合させる面に係合筒体２０３を設けている。係合筒体２０３は頂部の外側部に第２の係合爪２０４が形成されており、さらに軸方向に４分割されたものである。また、上部挟着体２１０には、係合筒体２０３と対応する位置に係合孔２１６が設けられており、該係合孔２１６の断面形状は係合筒体２０３の挿入側開口から鍵形となる第２の係合段部２１７が形成されている。
【００２０】
係合孔２１６の挿入側開口は係合筒体２０３の第２の係合爪２０４の外径よりも小さいが、係合筒体２０３を強い力で挿入すれば、係合筒体２０３は軸方向に分割されているから素材の弾性力によって変形し係合孔２１６内に挿入される。係合筒体２０３が係合孔２１６に挿入されると係合筒体２０３は元の状態に戻り、第２の係合爪２０４が第２の係合段部２１７に係合する。ただし、係合筒体２０３と係合孔２１６は、係合筒体２０３に布製幟主体を載置し当該布製幟主体を挟持した状態で結合されるものである。
【００２１】
下部挟着体２００の係合筒体２０３を上部挟着体２１０の係合孔２１６に係合して両者を結合させた時、係合筒体２０３の筒孔２０５に栓体３００を装着して係合筒体２０３と係合孔２０６の結合状態を確保している。上記係合筒体２０３は、第２の係合爪２０４が第２の係合段部２１７が脱落することはないが、当該栓体３００を装着することにより両者の結合が確実なものになる。栓体３００には、取付け紐３０１が設けられており、該取付け紐３０１は下部挟着体２００と止め輪部材３の連結部近くに固着されている。
【００２２】
実施形態において、取付け紐３０１は、基端部が下部挟着体２００と止め輪部材３の連結部近くに結合されていると共に、栓体３００と取付け紐３０１は、止め輪部材３に形成した栓体型切抜き３０２に収容されている。
【００２３】
また、実施形態において、係合筒体２０３と係合孔２０６を結合すると、第２の係合爪２０４が係合孔２０６の第２の係合段部２１７に載置された状態となるが、係合筒体２０３は係合孔２０６に結合した時に頂部が上部挟着体２１０から突出しない高さに形成されていることが望ましい。これに伴い、栓体３００の高さも係合筒体２０３と同じにすることが望ましい。
【００２４】
止め具１を布製幟主体６０に取付ける手順は以下のとおりである。まず、下部挟着体２００の係止片２０１を上部挟着体２１０の係止孔２１１に挿入し、第１の係合爪２０２と第１の係合段部２１２の係合によって両者を結合する。ここでは、基部固定体２１４が下部挟着体２００に結合されているが、係合筒体２０３と係合孔２０６は結合していないから上部挟着体２１０の開閉挟着体２１５は自由状態になっている（図３）。
【００２５】
図３において、開閉挟着体２１５を開き、下部及び上部挟着体２００，２１０に布製幟主体６０の側端を該布製幟主体６０の側端が基部固定体２１４に当接するまで差し込む。布製幟主体６０の側端が基部固定体２１４に当接されたことにより、止め具１は布製幟主体６０から直角方向に突出するので、ここで、係合筒体２０３に布製幟主体６０が載置された状態のまま当該係合筒体２０３と係合孔２０６を結合する（図４ａ）。
【００２６】
下部及び上部挟着体２００，２１０は、布製幟主体６０を挟着して結合されると両者は脱落することはないが、結合状態を確実にするため、係合筒体２０３の筒孔２０５内に栓体３００を装着している。栓体３００が筒孔２０５に挿入されると、係合筒体２０３は係合孔２１６内で布製幟主体６０を介して当該係合孔２１６に押し付けられるので、布製幟主体６０が抜け出たりすることが防止できる（図４ｂ）。
【００２７】
下部及び上部挟着体２００，２１０が布製幟主体６０を介して結合されると、止め具１の止め輪部材３は布製幟主体６０の外側でリングを形成する。そこで、布製幟主体６０の長手方向に取付けた止め輪部３には旗竿６１を挿入し、直交する方向に取付けた止め輪部材３には横棒６２を挿入して幟６を形成する（図１０）。
【００２８】
図７から図９が第２実施例を示している。止め具１０が、布地挟着部２０と止め輪部材３０を有していること並びに布地挟着部２０が挟着体固定手段４及び幟主体挟着手段５を有していることも第１実施例と同じである。ただし、布地挟着部２０は、下部挟着体２００と上部挟着体２１０に両者の結合状態を確実にするための突起２００ａ，２１０ａと凹孔２００ｂ，２１０ｂを形成しており、下部挟着体２００と上部挟着体２１０を結合した時、突起２００ａと凹孔２１０ｂが係合し、突起２１０ａと凹孔２００ｂが係合するようになっている。なお、第２実施例において、第１実施例と同じ符号を付した部材は、第１実施例の部材と同じものである。
【００２９】
上記止め輪部材３０には、止め輪の寸法を調整するために両者を結合する止め輪結合手段７が設けられており、該止め輪結合手段７は、一方が爪付きの結合片７０１であり、他方が切込みを有する結合孔７０２である。止め輪部材３０は挟着体固定手段４を結合して止め輪を形成するものであり、該止め輪に幟の旗竿６１を挿入するのである。
【００３０】
上記の場合、旗竿６１の外径よりも止め輪によって形成される径の方が大きいと、止め輪部材３０はプラスチック製であるから布地に比べて柔軟性に難点があり、例えば、幟６に強い風が当たると幟６が上方に押上げられた状態となり幟の公告効果を発揮できないことがある。第２実施例では、止め輪部材３０に止め輪の寸法を調整用の止め輪結合手段７を設け、該止め輪結合手段７によって止め輪の径を旗竿６１の外形と略等しい径に形成できるから、旗竿６１を挿入した時、幟が上方に押上げられたりすることを防止できるものとなる。なお、止め輪部材３０は止め輪結合手段７によって止め輪の径を小さく形成できるから、旗竿６１の外形が小さいものに適用できることは勿論である。
【００３１】
第２実施例においては、止め輪部材３０に止め輪結合手段７を設けているので、幟主体挟着手段５の孔内に装着する栓体３００の取付け紐３０１を下部挟着体２００に結合している。前述したように、第２実施例におけるこの他の構造は第１実施例の場合と同じである。
【００３２】
図１０は、本発明の止め具１，１０を幟に取付けた状態を示している。幟６は、長方形の布製幟主体６０を有し、該布製幟主体６０の長手方向の一側及び長手方向に直交する方向の一側にそれぞれ止め具１，１０を適当間隔で取付ける。下部及び上部挟着体２００，２１０を布製幟主体６０に結合し、止め輪部材３，３０を布製幟主体６０から突出する。布製幟主体６０の長手方向の側部に結合した止め具１，１０の止め輪部材３，３０には旗竿６１を挿入し、また、長手方向に直交する方向の側部に結合した止め具１，１０の止め輪部材３，３０には横棒６２を挿入して幟６を形成する。この場合、第２実施例の止め具１０は、止め輪部材３０の止め輪結合手段７を結合して止め輪に所謂遊びができないようにして装着する。
【実施例】
【００３３】
第１実施例の止め具１は、展開した状態で布地挟着部２を含む全長が２１５ｍｍ、幅が２０ｍｍである。このうち、布地挟着部２（下部及び上部挟着体２００，２１０）の長さは概ね３５ｍｍである。また、布地挟着部２の厚みは３．５ｍｍ、止め輪部３の厚みは０．５ｍｍである。材質はポリエチレンを使用し、射出成形による一体成形品である。
第２実施例の止め具１０は、展開した全長及び幅が第１実施例と同じであるが、布地挟着部２０の厚みは２ｍｍとした。ただし、止め輪部３０の厚みは０．５ｍｍで第１実施例と変わらない。
【産業上の利用可能性】
【００３４】
本発明の止め具は、布製の止め輪に変えてプラスチックの成形品により形成したので、生産能率が格段に向上するものであり、幟の製造コストを抑えることができる。
【図面の簡単な説明】
【００３５】
【図１】下部挟着体及び上部挟着体を結合した状態を示す止め具の斜視図。
【図２】止め具の展開状態を示す斜視図。
【図３】上部挟着体の基部固定体を下部挟着体を結合し開閉挟着体を開いた状態を示す止め具の斜視図。
【図４】下部挟着体及び上部挟着体の結合状態を示す止め具の断面図。
【図５】図４のＡ−Ａ断面図。
【図６】図４のＢ−Ｂ断面図。
【図７】他の実施形態による止め具であり下部挟着体及び上部挟着体を結合した状態を示す斜視図。
【図８】図７の止め具の展開状態を示す斜視図。
【図９】図７に示す止め具の断面図。
【図１０】本発明の止め具を取付けた幟を示す斜視図。
【符号の説明】
【００３６】
１，１０  止め具
２，２０  布地挟着部
２００  下部挟着体
２０１  係止片
２０２  第１の係合爪
２０３  係合筒体
２０４  第２の係合爪
２０５  筒孔
２１０  上部挟着体
２１１  係止孔
２１２  第１の係合段部
２１３  薄肉ヒンジ部
２１４  基部固定体
２１５  開閉挟着体
２１６  係合孔
２１７  第２の係合段部
３，３０  止め輪部材
３００  栓体
３０１  取付け紐
３０２  栓体型切抜き
４  挟着体固定手段
５  幟主体挟着手段
６  幟
６０  布製幟主体
６１  旗竿
６２  横棒
７  止め輪結合手段
７０１  結合片
７０２  結合孔
【図１】
2005173359.tif 000003
【図２】
2005173359.tif 000004
【図３】
2005173359.tif 000005
【図４】
2005173359.tif 000006
【図５】
2005173359.tif 000007
【図６】
2005173359.tif 000008
【図７】
2005173359.tif 000009
【図８】
2005173359.tif 000010
【図９】
2005173359.tif 000011
【図１０】
2005173359.tif 000012